(57)【特許請求の範囲】
【請求項１】
隣接する飼育房との境界に、該飼育房の床を支持しつつ立設する間仕切り壁を備えた畜舎の間仕切り構造に於いて、
前記間仕切り壁を、その上部を構成する間仕切り壁本体と、該間仕切り壁本体の下部に対面状態で結合する一対の支分間仕切り脚とで構成し、
上記支分間仕切り脚を、垂直に立上る上部の取付板部であって、前記間仕切り壁本体の下部を、対面状態の一対の支分間仕切り脚のそれでもって挟持しつつ固定する取付板部と、該取付板部の下端から斜め後方に延長する斜面部と、該斜面部の下端から垂下する床支持板部であって、前記飼育房の床の支持部材と結合する床支持板部と、該床支持板部の下端から前方に戻すべく延長した下部復帰板部と、該下部復帰板部の前端から垂下する結合板部であって、対面状態の一対の支分間仕切り脚のそれを対面接合させつつ結合固定する結合板部とで構成した畜舎の間仕切り構造。
【請求項２】
前記支分間仕切り脚の下部復帰板部を、前記床支持板部の下端から、該床支持板部と９０度の角度関係で、支分間仕切り脚の前方側に延長した請求項１の畜舎の間仕切り構造。
【請求項３】
前記支分間仕切り脚の下部復帰板部を、前記床支持板部の下端から、該床支持板部と９０度を越えた角度関係で、支分間仕切り脚の前方側に延長した請求項１の畜舎の間仕切り構造。
【請求項４】
前記支分間仕切り脚を、上部脚と下部脚とに分割し、
上記上部脚を、垂直に立上る上部の取付板部であって、前記間仕切り壁本体の下部を、対面状態の一対の支分間仕切り脚の上部脚のそれでもって挟持しつつ固定する取付板部と、該取付板部の下端から斜め後方に延長する斜面部と、該斜面部の下端から垂下する連結板部であって、下部脚の床支持板部の上端から延長した延長板部と重ね合わせつつ結合する連結板部とで構成し、
前記下部脚を、上端に上方に延長した前記延長板部を有する床支持板部であって、前記飼育房の床の支持部材と結合すべく直立した床支持板部と、該床支持板部の下端から前方に戻すべく延長した下部復帰板部と、該下部復帰板部の前端から垂下する結合板部であって、対面状態の一対の支分間仕切り脚の下部脚のそれを対面接合させつつ結合固定する結合板部とで構成した請求項１、２又は３の畜舎の間仕切り構造。
【発明の詳細な説明】
【０００１】
【産業上の利用分野】
本発明は、豚、牛、馬、その他の家畜類及び飼育動物類に適する畜舎の間仕切り構造に関する。
【０００２】
【従来の技術】
養豚業等では、清掃を容易にするために高床式の畜舎が多用される傾向がある。これらの高床式の床面は、平行に配した多数のシャフト部材等の支持部材上に網状等の床材を載置して構成し、発生する汚物を床下に形成したピット内に落下させるべくしている。該ピットに溜った汚物は、適当な掻取手段で掻き出したり、あるいは、傾斜ピットに構成してそこを流動する水の力を利用して流し出したり、コンベアの搬送力等によって搬送することにより、それぞれ所定箇所に集積するものである。
【０００３】
ところで、飼育房の床面上に排泄された家畜の排泄物その他の汚物は、家畜自身が床面上を歩き廻ることで、網状等の床材を通じてピット内に落下し、通常、床面上に長く滞留しないが、飼育房を区画する間仕切り壁の直下の床面上は、間仕切り壁と床面との角度がほぼ直角になっているために、家畜がその上を歩行することが殆どあり得ず、その結果、汚物がいったんそこに溜ると残留して何時までも落下しないという問題が生じる。また間仕切り壁の直下の床面上は狭く清掃も容易ではない。それ故、その部分には腐食が発生し易いという問題もある。
【０００４】
しかして本件発明者は、以上のような問題点を解決し、間仕切り壁の直下であっても汚物の滞留が生じないようにするために、畜舎の間仕切り構造に関して改良を行ない、これを本件出願人が特許出願した（特願平５−１２０８００号）。その内容を示せば、これは、畜舎の個々の飼育房に於いて、該飼育房を区画する間仕切り壁の下部を該飼育房の内部に向かって下向き傾斜する斜面に構成した畜舎の間仕切り構造である。
【０００５】
この発明のより具体的な構成を示せば、床面が、平行に配された複数の結合部材間に直交して所定間隔で並設された棒材又は管材とその上に載置される網状床材とによって構成され、間仕切り壁が隣接飼育房との両側の境界に位置する前記結合部材から立上っている畜舎の間仕切り構造に於いて、
前記間仕切り壁を、その上部を構成する間仕切り本体と、垂直に立上る上部の取付板部、その下端から斜めに降下する斜面部、及びその下端から垂下する結合脚板部を備えた支分間仕切り脚であって、一対のそれらを対面させ、上端の取付板部の間に間仕切り本体の下部を挟んで結合し、両結合脚板部を対応する位置の前記結合部材を中心にその両側に配した結合帯鉄を介して床面に固定することとした支分間仕切り脚とで構成した畜舎の間仕切り構造である。
【０００６】
以上の本件出願人の出願に係る技術（以下本件出願人の先行技術）によれば、間仕切り壁の下部が飼育房の内方に向かった斜面になっているため、間仕切り壁の下部に接する床面上も家畜類の歩行面になることとなる。それ故、間仕切り壁の下部、即ち、飼育房の隅部に排泄された排泄物等の汚物も、家畜類の歩行により、網状床材を通じて下部のピット中に落下させられることとなり、飼育房の床面上に汚物が滞留する問題は解決されることとなるものである。
【０００７】
【発明が解決しようとする課題】
本件出願人の先行技術は、このように、優れたものであって、特別に欠点はないが、間仕切り壁の下部を構成する両結合脚板部を改良することにより、間仕切り壁を立設する部位に於ては、これを利用して、床面の構成要素である前記棒材又は管材の端部を固定することにより、前記結合部材を不要とすることができる。
しかして本発明に於ては、以上の着想を実現し、より簡明かつ合理的な畜舎の間仕切り構造を提供することを解決の課題とする。
【０００８】
【課題を解決するための手段】
本発明の構成の要旨とするところは、
隣接する飼育房との境界に、該飼育房の床を支持しつつ立設する間仕切り壁を備えた畜舎の間仕切り構造に於いて、
前記間仕切り壁を、その上部を構成する間仕切り壁本体と、該間仕切り壁本体の下部に対面状態で結合する一対の支分間仕切り脚とで構成し、
上記支分間仕切り脚を、垂直に立上る上部の取付板部であって、前記間仕切り壁本体の下部を、対面状態の一対の支分間仕切り脚のそれでもって挟持しつつ固定する取付板部と、該取付板部の下端から斜め後方に延長する斜面部と、該斜面部の下端から垂下する床支持板部であって、前記飼育房の床の支持部材と結合する床支持板部と、該床支持板部の下端から前方に戻すべく延長した下部復帰板部と、該下部復帰板部の前端から垂下する結合板部であって、対面状態の一対の支分間仕切り脚のそれを対面接合させつつ結合固定する結合板部とで構成した畜舎の間仕切り構造であり、これによって前記課題を解決することができる。
【０００９】
前記支分間仕切り脚の下部復帰板部は、前記床支持板部の下端から、該床支持板部と９０度又はそれを越えた角度関係で、支分間仕切り脚の前方側に延長することができる。前記取付板部の下端から斜面部が後退した分を下部復帰板部で前方側に戻す訳である。
【００１０】
前記支分間仕切り脚は、その全構成要素を金属又はプラスチック類等で一体に構成しても良いが、上部脚と下部脚とに分割し、相互を着脱自在に結合できる構成としても良い。後者の構成とすれば、後述するように途中まで組立たうえで運搬する場合などに、上部脚を現場で組み付けることとすれば、高さを低くできるため都合が良い。
このように前記支分間仕切り脚を上部脚と下部脚とに分割した場合には、上記上部脚は、垂直に立上る上部の取付板部であって、前記間仕切り壁本体の下部を、対面状態の一対の支分間仕切り脚の上部脚のそれでもって挟持しつつ固定する取付板部と、該取付板部の下端から斜め後方に延長する斜面部と、該斜面部の下端から垂下する連結板部であって、下部脚の床支持板部の上端から延長した延長板部と重ね合わせつつ結合する連結板部とで構成し、
前記下部脚は、上端に上方に延長した前記延長板部を有する床支持板部であって、前記飼育房の床の支持部材と結合すべく直立した床支持板部と、該床支持板部の下端から前方に戻すべく延長した下部復帰板部と、該下部復帰板部の前端から垂下する結合板部であって、対面状態の一対の支分間仕切り脚の下部脚のそれを対面接合させつつ結合固定する結合板部とで構成することとするのが良い。
【００１１】
前記間仕切り壁本体は、金属、プラスチック、木材等のパネル又は柵等によって構成できる。前記支分間仕切り脚もまた、前記したように、金属、プラスチック、木材等によって構成することができるが、金属で構成するのが必要な強度を確保し易いのでより適当であろう。
【００１２】
【作用】
本発明の畜舎の間仕切り構造は、以上のように構成したので、隣接飼育房との間にこれを設置した場合には、立上る間仕切り壁には、その下部の支分間仕切り脚に構成した斜面部により、飼育房の内部に向かう斜面が構成されることとなる。またこの畜舎の間仕切り構造に於ては、床面の網状などの床部材を支持する管材又は棒材のような支持部材の端部を、その支分間仕切り脚に構成した床支持板部に結合固定することとなる。なお上記支持部材の上に金網又は穿孔金属板等の網状床材が載って床面が構成されるのは云うまでもない。
【００１３】
しかして本発明の畜舎の間仕切り構造によれば、前記斜面部の故に、間仕切り壁の下部と床面とによって形成される隅部は飼育房の内部に向かって傾斜する斜面になっているので、排泄物や飼料粕等がこの位置に堆積しても、家畜類がこの位置を歩行することができるので、それによってピット内に落されることが多くなり、容易に残留しなくなる。したがって、それらの部分の腐食の問題も生じなくなる。また若干残留しても清掃が容易で、衛生的である。またこの構造では間仕切り壁の強度が高くなったものでもある。
【００１４】
更に本発明の畜舎の間仕切り構造によれば、床部材を支持する支持部材の端部を、支分間仕切り脚に構成した床支持板部に結合固定するものとしたので、この部位に於いて、前記本件出願人の先行技術に於けるような結合部材が不要となり、構成が極めて簡明となるものである。しかして部品点数が減少し、かつ組立作業もスピーディかつ容易となる。
【００１５】
【実施例】
以下、実施例を示す添付図を参照しつつ本発明を開示する。
この実施例は高床式畜舎に適用したものである。
図１は第一の実施例に於ける高床式畜舎の間仕切り構造を示す一部切欠断面説明図、図２は第一の実施例に於ける間仕切り壁の下部を構成する一対の支分間仕切り脚の分解状態の一部切欠斜視図、図３は第一の実施例に於ける間仕切り壁を構成した飼育房の境界付近の一部切欠平面説明図である。
【００１６】
図１に示すように、間仕切り壁１は、その上部を構成する間仕切り壁本体２とその下部に対面状態で結合する一対の支分間仕切り脚３、３とで構成する。
上記間仕切り壁本体２は四辺形の金属壁板２ａとその上端に固設した円筒体２ｂとで構成したものである。
また前記支分間仕切り脚３は、垂直に立上る上部の取付板部３ａと、上記取付板部３ａの下端から斜め後方に延長する斜面部３ｂと、上記斜面部３ｂの下端から垂下する床支持板部３ｃと、上記床支持板部３ｃの下端から前方に戻すべく水平状態で延長した下部復帰板部３ｄと、上記下部復帰板部３ｄの前端から垂下する結合板部３ｅとで構成したものである。
【００１７】
前記取付板部３ａは、前記間仕切り壁本体２の下部を、対面状態とした一対の支分間仕切り脚３、３のそれ（取付板部３ａ、３ａ）で挟持しつつ固定するものである。図１に示すように、一対の支分間仕切り脚３、３の取付板部３ａ、３ａで間仕切り壁本体２の金属壁板２ａの下部を挟持するとともに、定間隔で配したボルト・ナット４、４…により締め付け固定するものである。取付板部３ａ、３ａには、図２に示すように、上記ボルト・ナット４、４…を配する位置にボルト孔５、５…を穿設してあることは云うまでもない。前記間仕切り壁本体２の金属壁板２ａの下部には、前記ボルト孔５、５…に対応させて、同様に、ボルト孔（図示していない）が穿設してあることも云うまでもない。
【００１８】
前記結合板部３ｅは、対面状態の一対の支分間仕切り脚３、３のそれら（結合板部３ｅ、３ｅ）を対面接合させつつ結合固定するものであり、固定は、図１に示すように、対面接合している結合板部３ｅ、３ｅを定間隔で配したボルト・ナット６、６…で締め付けて行なうものである。
結合板部３ｅ、３ｅには、図２に示すように、上記ボルト・ナット６、６…を配する位置にボルト孔７、７…を穿設してあることは云うまでもない。
【００１９】
前記床支持板部３ｃは、図２に示すように、両側の飼育房の床の支持部材であるシャフト部材８、８…の端部を結合するためのシャフト孔９、９…を横一列に定間隔で穿設してある。
【００２０】
しかしてこの第一の実施例では、畜舎の間仕切りは、現場での組立てを容易にするために、通常、次のように工場で一部が組立てられて現場に運ばれる。
即ち、平行に並べた複数のシャフト部材８、８…の二つの組を中間の結合部材で結合して一室の飼育房の床の支持部材として必要な幅を確保し、両側の組のシャフト部材８、８…の各外端を、各々間仕切り壁の一部を構成する前記支分間仕切り脚３、３の床支持板部３ｃ、３ｃに接続する。
上記床支持板部３ｃのシャフト孔９、９…に、図１に示すように、外側から端部に雄ネジを切った前記シャフト部材８、８…を、それぞれ挿入し、各々ナット１０、１０…と螺合させて固定する。なおシャフト部材８、８…には、この取付に先だってパイプ体１１、１１…をそれぞれ外装して置くものとする。このパイプ体１１には耐食性のものを用いる。
そしてここまで工場で組立てた状態で、現場に運び、現場ではそれ以降の組立作業を行なうものである。
【００２１】
以上のようにシャフト部材８、８…等を組み付けてある支分間仕切り脚３、３…を利用して現場で畜舎を組立てる。
一対の支分間仕切り脚３、３を、図１に示すように、対面させ、その上部の取付板部３ａ、３ａの間に前記間仕切り壁本体２の金属壁板２ａの下部を挿入し、前記のようにして、ボルト・ナット４、４…で締め付け固定し、一対の支分間仕切り脚３、３の上部に前記間仕切り壁本体２を立設する。かつ該一対の支分間仕切り脚３、３の最下部で対面接合している結合板部３ｅ、３ｅには、前記したように、そのボルト孔７、７…にボルト・ナット６、６…を配して締め付け固定する。
更に、他方、パイプ体１１、１１…を外装したシャフト部材８、８…上には、図１及び図３に示すように、網体１２を載置し、床を完成させる。
こうして畜舎の間仕切りは床とともに組立てることができるものである。なお床の下方は糞尿を落下させるピットが構成してある。
【００２２】
この実施例では、以上のように構成したので、間仕切り壁１を構成する支分間仕切り脚３、３の床支持板部３ｃ、３ｃに床の支持部材であるシャフト部材８、８…の端部を固定するものであり、前記本件出願人の先行技術に於いてこの部位に用いている結合部材が不要となる。即ち、簡明かつ合理的な畜舎の間仕切り構造とすることができたものである。
【００２３】
またこの実施例では、間仕切り壁１の下部に斜面部３ｂが構成してあるため、家畜類がその斜面部３ｂの最下部との隣接部に位置する床の網体１２上を歩き回ることが可能となる。それ故、床の網体１２上に排泄された排泄物や飼料粕等の残留物は、家畜類の歩行にともなって、床の網体１２からピット内に落されることとなり、容易に残留せず、もし残留することがあっても、その斜面部１２との角度が大きいので容易に清掃できる。しかして畜舎内を非常に衛生的に保つことができる。そのため畜舎を構成する各部の金属類に容易に腐食が発生しないものともなった。
【００２４】
図４は、本発明の第二の実施例に於ける間仕切り壁の下部を構成する一対の支分間仕切り脚の分解状態の一部切欠斜視図である。
この第二の実施例の支分間仕切り脚１３は、第一の実施例に於いて、水平に延長した下部復帰板部３ｄに代えて、斜め下方に向けつつ前方に戻した下部復帰板部１３ｄを構成したものである。
第一の実施例と全く同様に用いられ、同様の効果が得られる。
【００２５】
図５は、第三の実施例に於ける間仕切り壁の下部を構成する一対の支分間仕切り脚の分解状態の一部切欠斜視図、図６は、第三の実施例に於ける飼育房の床の一部切欠側面説明図である。
【００２６】
第三の実施例に於ては、その支分間仕切り脚２３は、前記第一の実施例の支分間仕切り脚３を上部脚と下部脚とに着脱自在に分割して構成したものである。しかして着脱自在に分割するという点を除いては第一の実施例の支分間仕切り脚３と同様である。
即ち、特に、図５に示すように、支分間仕切り脚２３は、上部脚２３Ｈと下部脚２３Ｌとに分割構成したものである。
上記上部脚２３Ｈは、垂直に立上る上部の取付板部２３ａと、該取付板部２３ａの下端から斜め後方に延長する斜面部２３ｂと、該斜面部２３の下端から垂下する連結板部２３ｆとで構成するものである。
なお前記取付板部２３ａには、一対のそれを、間仕切り壁本体の金属板部２２ａの下部を挟持しつつ、対面させた上で、挿通して締め付け固定するためのボルト・ナット用のボルト孔２５、２５…を横一列に穿設する。間仕切り壁本体の金属板部２２ａの対応する位置にも同様のボルト孔を穿設して置くべきことは云うまでもない。
また前記連結板部２３ｆは、下部脚２３Ｌの床支持板部２３ｃの上端から延長した延長板部２３ｇと重ね合わせつつ結合するものであり、結合用ボルト孔ｂ、ｂ…を定間隔で横一列に穿設する。
【００２７】
前記下部脚２３Ｌは、上端に上方に延長した前記延長板部２３ｇを有する床支持板部２３ｃと、該床支持板部２３ｃの下端から前方に戻すべく延長した下部復帰板部２３ｄと、該下部復帰板部２３ｄの前端から垂下する結合板部２３ｅとで構成するものである。
なお前記延長板部２３ｇには、前記連結板部２３ｆに穿設した結合用ボルト孔ｂ、ｂ…と対応する位置に同様な結合用ボルト孔ｂ、ｂ…を穿設する。また前記床支持板部２３ｃは、飼育房Ｓの床の支持部材であるシャフト部材２８、２８…と結合すべく直立させたものであり、かつ結合用のシャフト孔２９、２９…を横一列に穿設してある。前記結合板部２３ｅは、対面状態の一対の支分間仕切り脚２３、２３の各下部脚２３Ｌのそれを対面接合させつつ結合固定するものであって、それぞれ対応させて横一列のボルト孔２７、２７…が穿設してある。
【００２８】
しかしてこの第三の実施例でも、第一及び第二の実施例と同様に、畜舎の間仕切りは、現場での組立てを容易にするために、通常、次のように工場で一部が組立てられて現場に運ばれる。
即ち、図６に示すように、平行に並べた複数のシャフト部材２８、２８…による二つのシャフト部材群１２８、１２８を中間の結合部材３２で結合して一室の飼育房Ｓの床の支持部材として必要な幅を確保し、両側のシャフト部材群１２８、１２８の各シャフト部材２８、２８…の各外端を、各々間仕切り壁の一部を構成する支分間仕切り脚２３、２３の床支持板部２３ｃ、２３ｃに接続する。この実施例では、前記したように、支分間仕切り脚２３は、上部脚２３Ｈと下部脚２３Ｌとに分割して構成されているが、この段階では、両者は分離状態としておき、上部脚２３Ｈと分離している状態の下部脚２３Ｌの床支持板部２３ｃ、２３ｃに前記シャフト部材２８、２８…の各外端を接続する。
【００２９】
なお上記床支持板部２３ｃのシャフト孔２９、２９…には、外側から雄ネジを切った前記シャフト部材２８、２８…の端部を、それぞれ挿入し、ナット３０、３０…と螺合させて固定する。なおシャフト部材２８、２８…には、この取付に先だってパイプ体３１、３１…をそれぞれ外装して置くものとする。このパイプ体３１は耐食性のものを用いる。
【００３０】
ところで前記結合部材３２は、図６に示すように、断面コ字形又は逆コ字形の長尺の支分結合部材１３２、１３２で構成したものであり、結合部材３２は、これらの支分結合部材１３２、１３２を対面させ、かつそれらの上部横板部及び下部横板部を各々相互に重ね合わせ、それらに長さ方向に沿って定間隔で穿設してあるボルト孔を利用してボルト・ナット３３、３３…により締め付け固定して構成するものである。もっとも支分結合部材１３２、１３２を結合して結合部材３２を構成するのは、以下に述べるように、各支分結合部材１３２とシャフト部材２８との結合が完了した後に行なう。
【００３１】
しかして結合部材３２へのシャフト部材２８、２８…の端部の結合は、分離した状態の各支分結合部材１３２、１３２の側部縦板部１３２ａ、１３２ａに対して行なう。
即ち、各シャフト部材２８の端部を側部縦板部１３２ａの結合孔に挿し込み、端部に形成したネジ部を予め各結合孔に対応させて内部に固定してあるナット３４に螺合する。シャフト部材２８には予め耐食性のパイプ体３１を外装しておくこととする。なおこのパイプ体３１は、後にシャフト部材２８の他端を前記下部脚２３Ｌの床支持板部２３ｃに接続する際に、その両端が、それぞれ前記結合部材３２の側部縦板部１３２ａ及び床支持板部２３ｃに突っ張り状態で当接することとなることにより結合がしっかりしたものとなる。
なおまた前記したように、支分結合部材１３２の側部縦板部１３２ａとシャフト部材２８、２８…との結合が完了した後に、端部の支分結合部材１３２、１３２相互を結合して結合部材３２を構成する。
【００３２】
そしてここまで工場で組立てた状態で、現場に運び、現場ではそれ以降の組立作業を行なうものである。
ところで、この実施例では、支分間仕切り脚２３を、前記のように、上部脚２３Ｈと下部脚２３Ｌとに分割構成し、相互を着脱自在に構成したため、以上のように、予め、これにシャフト部材２８、２８…を結合し、現場でそれ以降の組立作業を行なうようにした場合、図６に実線で示した状態であるため、トラック等で運ぶのに嵩ばらず、都合が良い。
【００３３】
現場に運んだ後は、図６に実線で示すように、両側に支分間仕切り脚２３の下部脚２３Ｌを結合したシャフト部材２８、２８…を飼育房Ｓの所要設置領域にセットする。両側の下部脚２３Ｌには、図６に示すように、同様に、各々、シャフト部材２８、２８…に組み付けた下部脚２３Ｌを対面させ、その結果、両下部脚２３Ｌ、２３Ｌの最下部で対面接合することとなる結合板部２３ｅ、２３ｅのボルト孔２７、２７…にボルト・ナット２６、２６…を配して締め付け、接合状態を固定する。
【００３４】
更にこうして対面した両下部脚２３Ｌ、２３Ｌの上部には、各々前記上部脚２３Ｈを接続固定する。接続固定は、上部脚２３Ｈの斜面部２３ｂの下端から垂下した連結板部２３ｆを、下部脚２３Ｌの床支持板部２３ｃの上端から上方に延長した延長板部２３ｇに、両者の結合用ボルト孔ｂ、ｂ…を対応させつつ、重ね合わせ、両結合用ボルト孔ｂ、ｂ…にボルト・ナットを配して締め付けて行なう。
その後、対面している両上部脚２３Ｈ、２３Ｈの両取付板部２３ａ、２３ａ間には、間仕切り壁本体の金属板部２２ａの下部を装入した上で、対面している取付板部２３ａ、２３ａのボルト孔２５、２５…及びその間に装入された間仕切り壁本体の金属板部２２ａの下部のボルト孔に各々ボルト・ナットを配し、締め付け、以上の状態を固定する。
【００３５】
しかして飼育房Ｓの両側には容易に間仕切り壁を構成することができる。
更に、他方、パイプ体３１、３１…を外装したシャフト部材２８、２８…上には、図６に示すように、網体３５を載置し、床を完成させる。
こうして畜舎の間仕切りは床とともに容易に組立てることができるものである。なお床の下方は糞尿を落下させるピットに構成してある。
【００３６】
この第三の実施例では、以上のように構成したので、間仕切り壁を構成する支分間仕切り脚２３、２３の下部脚２３Ｌに於いて、その床支持板部２３ｃ、２３ｃに床の支持部材であるシャフト部材２８、２８…の端部を固定するものであり、前記本件出願人の先行技術に於いて用いている結合部材がここでは不要となる。即ち、簡明かつ合理的な畜舎の間仕切り構造とすることができたものである。
【００３７】
またこの実施例では、間仕切り壁の上部脚Ｈに斜面部２３ｂが構成してあるため、家畜類がその斜面部２３ｂの最下部との隣接部に位置する床の網体３５上を歩き回ることが可能となる。それ故、間仕切り壁の直下の床の網体３５上に排泄された排泄物や飼料粕等の残留物であっても、家畜類の歩行にともなって、床の網体３５からピット内に落されることとなり、容易に残留せず、もし残留することがあっても、その斜面部２３ｂと床との角度が大きいので容易に清掃できる。しかして畜舎内を非常に衛生的に保つことができる。そのため畜舎を構成する各部の金属類に容易に腐食が発生しないものともなった。
【００３８】
【発明の効果】
本発明によれば、間仕切り壁下部に於いて、斜面部が飼育房の内方に向かって進出するように構成してあるので、家畜類が間仕切り壁との境界である直下の床上を歩き回ることができることとなる。それ故、間仕切り壁との境界付近の床上の排泄物や飼料粕等の残留物は、家畜類の歩行にともなって、床からピット内に落下させられることとなり、床上には容易に残留せず、もし残留することがあっても斜面部と床面との角度が大きいので容易に清掃できる。したがって畜舎内を非常に衛生的に保つことができる。そのため容易に腐食が発生しないものともなった。
【００３９】
また本発明によれば、間仕切り壁を構成する支分間仕切り脚の床支持板部に床の支持部材の端部を固定するものであり、前記本件出願人の先行技術に於いて用いている結合部材がここでは不要となり、簡明かつ合理的な畜舎の間仕切り構造とすることができる。
【００４０】
また支分間仕切り脚を、上部脚と下部脚とに分割構成し、相互を着脱自在に構成した場合には、予め、これに床の支持部材である複数のシャフト部材を結合し、現場でそれ以降の組立作業を行なうようにした場合は、トラック等で運搬する際に嵩ばらず、都合が良い。
【図面の簡単な説明】
【図１】第一の実施例に於ける高床式畜舎の間仕切り構造を示す一部切欠断面説明図。
【図２】第一の実施例に於ける間仕切り壁の下部を構成する一対の支分間仕切り脚の分解状態の一部切欠斜視図。
【図３】第一の実施例に於ける間仕切り壁を構成した飼育房の境界付近の一部切欠平面説明図。
【図４】第二の実施例に於ける間仕切り壁の下部を構成する一対の支分間仕切り脚の分解状態の一部切欠斜視図。
【図５】第三の実施例に於ける間仕切り壁の下部を構成する一対の支分間仕切り脚の分解状態の一部切欠斜視図。
【図６】第三の実施例に於ける飼育房の床の一部切欠側面説明図。
【符号の説明】
１      間仕切り壁
２      間仕切り壁本体
２ａ、２２ａ  金属壁板
２ｂ    円筒体
３、１３、２３  支分間仕切り脚
３ａ、２３ａ  取付板部
３ｂ、２３ｂ  斜面部
３ｃ、２３ｃ  床支持板部
３ｄ、１３ｄ、２３ｄ  下部復帰板部
３ｅ、２３ｅ  結合板部
４、６、２６、３３  ボルト・ナット
５、７、２５、２７  ボルト孔
８、２８  シャフト部材
９、２９  シャフト孔
１０、３０、３４  ナット
１１、３１  パイプ体
１２、３５  網体
２３ｆ  連結板部
２３ｇ  延長板部
２３Ｈ  上部脚
２３Ｌ  下部脚
３２    結合部材
１２８  シャフト部材群
１３２  支分結合部材
１３２ａ  側部縦板部
ｂ      結合用ボルト孔
Ｓ      飼育房
【図１】
0003683310.tif 000002
【図２】
0003683310.tif 000003
【図３】
0003683310.tif 000004
【図４】
0003683310.tif 000005
【図５】
0003683310.tif 000006
【図６】
0003683310.tif 000007